(57)【要約】【課題】最大数に満たない物品を確実に保持でき、スペーサとして副資材を使用する必要もない容量可変箱を提供する。【解決手段】各一対の側板２及び端板３を連設して四角筒状の周壁１を形成し、一対の端板３を上下に配置し、一方の側板２の前端に蓋４を連設し、後面を閉じる後壁７を設け、他方の側板２の前端に保持片５を連設し、保持片５に折目線８及び切目線９を入れて、切詰部１０を形成しておき、物品の収納に際しては、保持片５で収納空間を制限しない大容量状態と、保持片５を折目線８沿いに巻くように折り曲げて第１スペーサ１１を形成した中容量状態と、切目線９の少なくとも一部分を切断し、切詰部１０を折目線８沿いに巻くように折り曲げて第２スペーサ１２を形成し、下方に残存した第１スペーサ１１と後壁７との間に第２スペーサ１２を嵌め込んだ小容量状態とを選択できるようにする。【選択図】図８
2009274760.tif 000002
【特許請求の範囲】
【請求項１】
各一対の側板(2)及び端板(3)を連設して四角筒状の周壁(1)を形成し、一対の端板(3)を上下に配置し、一方の側板(2)の前端に蓋(4)を連設し、後面を閉じる後壁(7)を設け、他方の側板(2)の前端に保持片(5)を連設し、保持片(5)に、上下方向の複数本の折目線(8)を入れると共に、上端基部から下方へ向かい、高さ方向の途中から先端側へ向かう切目線(9)を入れて、切詰部(10)を形成しておき、物品の収納に際しては、保持片(5)で収納空間を制限しない大容量状態と、保持片(5)を折目線(8)沿いに巻くように折り曲げて第１スペーサ(11)を形成した中容量状態と、切目線(9)の少なくとも一部分を切断し、切詰部(10)を折目線(8)沿いに巻くように折り曲げて第２スペーサ(12)を形成し、下方に残存した第１スペーサ(11)と後壁(7)との間に第２スペーサ(12)を嵌め込んだ小容量状態とを選択できるようにしたことを特徴とする容量可変箱。
【発明の詳細な説明】
【技術分野】
【０００１】
この発明は、収納する物品の数に応じて容量を変化させることができる容量可変箱に関するものである。
【背景技術】
【０００２】
従来、この種の容量可変箱として、下記特許文献１には、図９に示すように、各一対の側板５２及び端板５３を連設して四角筒状の周壁５１を形成し、一方の側板５２に天面を開閉する蓋５４を連設し、底面を閉じる底壁５５を設け、対向する端板５３の上端に保持片５６を連設したものが記載されている。
【０００３】
この保持片５６には、幅方向の複数本の折目線５７と先端からの切目線５８とが入れられ、収納する物品が最大数の場合には、保持片５６を伸ばしておき、収納する物品が最大数に満たない場合には、保持片５６を折目線５７に沿って折り曲げ、これに伴い形成された筒部５６ａや舌片５６ｂをスペーサとして、箱内で物品が動かないように保持する。
【０００４】
【特許文献１】実開平２−６９８２１号公報
【発明の開示】
【発明が解決しようとする課題】
【０００５】
しかしながら、上記のような容量可変箱では、例えば、苗をポットに植えた園芸品等、不定形の物品を、最大数に満たない数だけ梱包する際、保持片を折り曲げたスペーサで空隙を埋めようとしても、物品を確実に保持できないという問題がある。
【０００６】
また、保持片で容量を調整できない通常の箱で梱包する場合には、帯状のスポンジを巻いて、スペーサとして詰め込むが、このような副資材を使用すると、包装コストが嵩み、廃棄物も増えるという問題がある。
【０００７】
そこで、この発明は、最大数に満たない物品を確実に保持でき、スペーサとして副資材を使用する必要もない容量可変箱を提供することを課題とする。
【課題を解決するための手段】
【０００８】
上記課題を解決するため、この発明は、各一対の側板及び端板を連設して四角筒状の周壁を形成し、一対の端板を上下に配置し、一方の側板の前端に蓋を連設し、後面を閉じる後壁を設け、他方の側板の前端に保持片を連設し、保持片に、上下方向の複数本の折目線を入れると共に、上端基部から下方へ向かい、高さ方向の途中から先端側へ向かう切目線を入れて、切詰部を形成しておき、物品の収納に際しては、保持片で収納空間を制限しない大容量状態と、保持片を折目線沿いに巻くように折り曲げて第１スペーサを形成した中容量状態と、切目線の少なくとも一部分を切断し、切詰部を折目線沿いに巻くように折り曲げて第２スペーサを形成し、下方に残存した第１スペーサと後壁との間に第２スペーサを嵌め込んだ小容量状態とを選択できるようにし、収納する物品の数に応じて、第１スペーサ及び第２スペーサで空隙を埋めるようにしたのである。
【発明の効果】
【０００９】
この発明に係る容量可変箱では、最大数に満たない物品を収納する際、保持片を巻いた第１スペーサや、その切詰部を巻いた第２スペーサが安定した形状の柱状体を形成するので、物品を箱内で動かないように確実に保持でき、スペーサとして副資材を使用する必要もなく、包装コストを削減でき、廃棄物の発生も抑制できる。
【発明を実施するための最良の形態】
【００１０】
以下、この発明の実施形態を添付図面に基づいて説明する。
【００１１】
この容量可変箱は、苗をポットに植えた園芸品の運搬に使用するものであり、図１に示す段ボールのブランクから形成される。このブランクでは、裏面で示す図示の方向において、周壁１を形成する長方形の側板２及び略正方形の端板３が各一対交互に上下方向に連設され、一方の側板２の下端には継代片１ａが連設されている。
【００１２】
下方の側板２の一側には蓋４が、上方の側板２の一側には保持片５が、各端板３の一側には蓋受片６がそれぞれ連設され、各側板２及び端板３の他側には、閉止板７ａ，７ｂがそれぞれ連設されている。蓋４は、側板２に繋がる蓋板４ａの先端に蓋先部４ｂを連設した構成とされている。
【００１３】
保持片５には、上下方向の２本の押罫から成る折目線８が入れられ、これにより、保持片５は、ほぼ３等分されている。また、保持片５には、上端基部から下方へ向かい、高さ方向の途中から先端側へ向かう切目線９が入れられている。
【００１４】
切目線９は、側板２との境界に沿ってその中央へ至る鉤形の切目が断続したジッパ型の線部９ａと、これに対して直角をなすように続き、保持片５を上下に二分する繋部付きの線部９ｂ及びミシン目状の線部９ｃとから構成される。保持片５の線部９ｂ、９ｃより上方の部分は、切詰部１０とされている。
【００１５】
各側板２には取手穴が、上方の端板３、蓋板４ａ及び閉止板７ａには通気穴がそれぞれ設けられ、保持片５にも、蓋板４ａの通気穴に対応する通気穴が設けられている。
【００１６】
このブランクを組み立てるには、図２に示すように、各一対の側板２及び端板３を折り曲げ、継代片１ａを反対側の端板３に貼り付けて、一対の端板３を上下に配置した四角筒状の周壁１を形成し、閉止板７ａ，７ｂを貼り合わせ、閉止板７ａ同士を噛み合わせて、後面を閉じる後壁７を形成する。
【００１７】
上記のような容量可変箱を使用して、図３に示すように、苗をポットに植えた園芸品Ｐを、収納可能な最大数である４個梱包する場合には、蓋４及び保持片５を開き、保持片５を巻き込まない大容量状態として、園芸品Ｐを２個ずつ幅方向及び奥行き方向に並べ、下方の端板３に載置する。
【００１８】
次に、図４に示すように、保持片５を閉じ、その先端部を折目線８に沿って一方の側板２の内側に沿わせるように折り曲げる。
【００１９】
そして、図５に示すように、蓋受片６を折り曲げて、蓋４の蓋板４ａを閉じ、蓋先部４ｂを他方の側板２の外側に重ね、接着剤や粘着テープで固定する。
【００２０】
また、園芸品Ｐを３個梱包する際には、図６に示すように、箱内の奥側において、園芸品Ｐを２個幅方向に並べ、保持片５を２本の折目線８に沿って巻くように折り曲げ、保持片５の先端を他方の側板２に当接させて、箱内の手前の一側部分に第１スペーサ１１を形成した中容量状態とし、第１スペーサ１１と一方の側板２の間に、１個の園芸品Ｐを収納した後、蓋受片６を折り曲げて、蓋４を閉じる。
【００２１】
また、園芸品Ｐを２個梱包する際には、まず、図７に示すように、切目線９の線部９ａを上方から下方へ切断し、続いて、線部９ｂを切断し、線部９ｃをヒンジとして、切詰部１０を折り返す。
【００２２】
次に、図８に示すように、切詰部１０を２本の折目線８に沿って巻くように折り曲げ、第２スペーサ１２を形成し、下方に残存した第１スペーサ１１と後壁７との間に第２スペーサ１２を嵌め込んで、その両端を他方の側板２に当接させた小容量状態とし、第１スペーサ１１及び第２スペーサ１２と一方の側板２との間に、２個の園芸品Ｐを奥行き方向に並べて収納した後、蓋受片６を折り曲げて、蓋４を閉じる。
【００２３】
上記のような容量可変箱では、収納できる最大数である４個に満たない３個又は２個の園芸品Ｐを収納する際、保持片５を巻いた第１スペーサ１１や、その切詰部１０を巻いた第２スペーサ１２が安定した形状の柱状体を形成するので、園芸品Ｐを箱内で動かないように確実に保持できる。
【００２４】
また、スペーサとしてスポンジ等の副資材を使用する必要もなく、包装コストを削減でき、廃棄物の発生も抑制できる。
【００２５】
なお、上記説明においては、小容量状態にする際、線部９ｃをヒンジとして切詰部１０を折り返しているが、線部９ｃを切断して、保持片５から切詰部１０を切り取り、分離した切詰部１０の折り曲げにより第２スペーサ１２を形成して、第１スペーサ１１と後壁７との間に第２スペーサ１２を嵌め込むようにしてもよい。
【図面の簡単な説明】
【００２６】
【図１】この発明の実施形態に係る容量可変箱のブランクを示す図
【図２】同上の組立状態を示す斜視図
【図３】同上の大容量状態での収納例を示す斜視図
【図４】同上の保持片を閉じた状態を示す斜視図
【図５】同上の蓋を閉じた状態を示す斜視図
【図６】同上の中容量状態での収納例を示す斜視図
【図７】同上の切目線の切断過程を示す斜視図
【図８】同上の小容量状態での収納例を示す斜視図
【図９】従来の容量可変箱を示す斜視図
【符号の説明】
【００２７】
１  周壁
１ａ  継代片
２  側板
３  端板
４  蓋
５  保持片
６  蓋受片
７  後壁
７ａ，７ｂ  閉止板
８  折目線
９  切目線
９ａ，９ｂ，９ｃ  線部
１０  切詰部
１１  第１スペーサ
１２  第２スペーサ
【図１】
2009274760.tif 000003
【図２】
2009274760.tif 000004
【図３】
2009274760.tif 000005
【図４】
2009274760.tif 000006
【図５】
2009274760.tif 000007
【図６】
2009274760.tif 000008
【図７】
2009274760.tif 000009
【図８】
2009274760.tif 000010
【図９】
2009274760.tif 000011